(57)【要約】【課題】定着部材熱膨張時にも表面改質部材の当接力を一定に保つことが出来、経時により光沢スジ、光沢ムラの画像品質不良を防止する。【解決手段】媒体上のトナー像を加熱してトナー像を媒体に定着させる定着装置であって、芯金温度を検知する芯金温度検知部材を有した定着部材と、定着部材を押圧し、定着ニップ部を形成する加圧部材と、定着部材の表面を改質する定着表面改質部材を定着部材に接離可能な接離機構部と、芯金温度検知部材が検知した芯金温度に基づいて、定着表面改質部材と定着部材との間の当接力を変える制御部と、を備える。【選択図】図１
2018091891.tif 000002
【特許請求の範囲】
【請求項１】
媒体上のトナー像を加熱して前記トナー像を前記媒体に定着させる定着装置であって、
芯金温度を検知する芯金温度検知部材を有した定着部材と、
前記定着部材を押圧し、定着ニップ部を形成する加圧部材と、
前記定着部材の表面を改質する定着表面改質部材を前記定着部材に接離可能な接離機構部と、
前記芯金温度検知部材が検知した芯金温度に基づいて、前記定着表面改質部材と前記定着部材との間の当接力を変える制御部と、
を備えることを特徴とする定着装置。
【請求項２】
前記制御部は、前記媒体が前記定着ニップ部を通過する累積通紙時間をカウントし、前記累積通紙時間が所定の通紙時間を上回った場合に、前記定着表面改質部材と前記定着部材とを当接させる、
ことを特徴とする請求項１に記載の定着装置。
【請求項３】
前記制御部は、センサからの検知結果に基づいて前記媒体上のトナー濃度またはトナー付着面積率を算出し、累積トナー量が所定量を上回った場合に、前記定着表面改質部材と前記定着部材とを当接させる、
ことを特徴とする請求項１または２に記載の定着装置。
【請求項４】
前記定着表面改質部材は、軸形状の芯金とそれを覆う研磨層からなる、
ことを特徴とする請求項１〜３のいずれか１項に記載の定着装置。
【請求項５】
前記制御部は、前記定着表面改質部材と前記定着部材とを当接させ、線速差を有して回転させる、
ことを特徴とする請求項１〜４のいずれか１項に記載の定着装置。
【請求項６】
前記制御部は、前記定着表面改質部材により前記定着部材の研磨処理を実行中であっても、前記芯金温度の変化、あるいは前記定着部材の熱膨張量の変化が、単位時間で所定の閾値を超えた場合、再び、前記定着表面改質部材の当接力を変え、前記定着表面改質部材を前記定着部材に当接させる、
ことを特徴とする請求項１〜５のいずれか１項に記載の定着装置。
【請求項７】
請求項１〜６のいずれか１項に記載の定着装置を備えることを特徴とする画像形成装置。
【発明の詳細な説明】
【技術分野】
【０００１】
本発明は、定着装置、および画像形成装置に関する。
【背景技術】
【０００２】
プリンタ・複写機・ファクシミリなどの画像形成装置に対し、近年、省エネルギー化・高速化・高画像化についての市場要求が強くなってきている。これらの要求性能を達成するためには、画像形成装置に用いられる定着装置の熱効率の改善及び種々のローラに対する細かな熱コントロールが重要である。
【０００３】
画像形成装置では、電子写真記録・静電記録・磁気記録等の画像形成プロセスにより、画像転写方式もしくは直接方式により、未定着トナー画像が記録材シート・印刷紙・感光紙・静電記録紙などの記録材に形成される。未定着トナー画像を定着させるための定着装置としては、熱ローラ方式、フィルム加熱方式、電磁誘導加熱方式等の接触加熱方式の定着装置が広く採用されている。
【０００４】
熱ローラ方式の定着装置は、内部にハロゲンランプ等の熱源を有して所定の温度に温調される定着ローラと、これに圧接された加圧ローラとの回転ローラ対を基本構成としている。これらの回転ローラ対の接触部いわゆる定着ニップ部に記録材を導入して搬送させ、定着ローラおよび加圧ローラからの熱および圧力により未定着トナー画像を溶融させて定着させる。また、高画像化の要求に伴い、加圧ローラの加圧力をきめ細かにコントロールするために可変加圧・脱圧機構を持った構成も知られている。
【０００５】
さらに、近年、これまでのシアン、マゼンダ、イエロー、及びブラックトナーで表現されたフルカラー電子写真に加え、透明トナーや、白色トナーを用いた電子写真装置が提案されている。これらの特色トナー（透明トナー、白色トナー）を用いることで、様々な表現ができるようになり、出力物の付加価値が向上する。
【０００６】
透明トナーによる付加価値の向上とは、まず、画像部前面の均一光沢化が上げられる。透明トナーを持たない電子写真装置では、出力画像の光沢が均一にならない場合が多い。なぜなら、白地部はトナーが乗らないため、記録材である紙の表面光沢がそのまま出力される。また、トナーが多く載るベタ画像とトナーが網点状にのるハーフトーンでは、紙へのトナー付着量による光沢差が発生していた。
【０００７】
また、白色トナーによる付加価値の向上は、有色紙、またはホログラム等のメタリック紙で白色を出力できることである。これまでのフルカラー電子写真装置は白色の紙にトナーを乗せて色表現を行い、白色は紙の地色（白）で表現されていた。しかし、有色紙、またはホログラム等のメタリック紙など地色が白色でない場合は白色を表現することが出来なかった。
【０００８】
特色トナー（透明トナー、白色トナー）を有する画像形成装置において、特に透明トナーでは白地部でも画像光沢を高くする表現が可能になったが、画像光沢はトナーと接触し定着させる定着部材の表面性が直に影響し、定着部材の表面性管理が重要となる。定着部材の表面が荒れていると、用紙光沢に差異が現れ、光沢スジ、光沢ムラの画像品質不良が発生するという課題がある。
【０００９】
これに対し、特許文献１には、定着部材の表面を摺擦する摺擦部材により、定着部材表面の汚れや記録材の裁断時に生じる両端部のバリに起因する定着部材の局所的な塑性変形を回復させる技術が記載されている。また、特許文献２には、定着部材の表面を摺擦するために記録材の搬送方向と直交する方向に定着部材を往復移動させ、定着部材の表面性を回復させる技術が記載されている。さらに、特許文献３には、定着補助ローラの芯金の温度を検知する温度検知手段を備え、ウエブ機構が、温度検知手段の検知結果に基いてウエブの単位時間当りの巻取り量を可変させる技術が記載されている。
【発明の概要】
【発明が解決しようとする課題】
【００１０】
しかしながら、特許文献１、２では定着部材の局所的な塑性変形を回復させる、又は定着部材の表面を摺擦ことはできるが、多種多様な用紙を通紙する定着装置において、通紙中、又は通紙ジョブ間、及び通紙直後の定着部材熱膨張により常に一定の摺擦力を保持することは困難であり、光沢スジ、光沢ムラの画像品質不良を防止することが出来ない。また、特許文献３では芯金の温度の検知結果に基いてウエブの巻取り量を変えているが、上記同様、一定の摺擦力を保持することは困難であり、光沢スジ、光沢ムラの画像品質不良を防止することが出来ない。
【００１１】
本発明は、これらの問題点に鑑みてなされたものであり、定着部材熱膨張時にも表面改質部材の当接力を一定に保つことが出来、経時により光沢スジ、光沢ムラの画像品質不良を防止する定着装置を提供することを目的とする。
【課題を解決するための手段】
【００１２】
上記の課題を解決し、目的を達成するために、本発明に係る定着装置は、媒体上のトナー像を加熱して前記トナー像を前記媒体に定着させる定着装置であって、芯金温度を検知する芯金温度検知部材を有した定着部材と、前記定着部材を押圧し、定着ニップ部を形成する加圧部材と、前記定着部材の表面を改質する定着表面改質部材を前記定着部材に接離可能な接離機構部と、前記芯金温度検知部材が検知した芯金温度に基づいて、前記定着表面改質部材と前記定着部材との間の当接力を変える制御部と、を備えることを特徴とする定着装置である。
【発明の効果】
【００１３】
本発明によれば、定着部材熱膨張時にも表面改質部材の当接力を一定に保つことが出来、経時により光沢スジ、光沢ムラの画像品質不良を防止することができる。
【図面の簡単な説明】
【００１４】
【図１】定着装置の一例を示す図である。
【図２】研磨ローラでの定着ベルト研磨時における定着ベルト上の固着WAX除去率を示す図である。
【図３】定着ベルト研磨実行動作の一連の処理を示すフローチャートである。
【図４】画像形成装置の一例を示す図である。
【発明を実施するための形態】
【００１５】
本実施形態に係る定着装置の構成及び制御について図１を用いて説明する。図１は、定着装置２０の一例を示しており、定着ローラ２３の軸方向での概略断面図である。
【００１６】
本実施形態に係る定着装置２０は、加熱手段（ヒータ３７）により加熱される定着部材（定着ベルト２２、または定着ローラ２３）と、定着ベルト２２の少なくとも一部を押圧可能に配置され、定着ベルト２２との間にニップ部を形成する加圧部材（加圧ローラ２７）と、を備えている。定着装置２０は、ニップ部に未定着トナー像２４を担持した記録媒体２５を搬送して、未定着トナー像２４を記録媒体２５に定着する。さらに、定着装置２０は、定着ベルト２２に押し当てられて、定着ベルト表面を改質する定着部材表面改質手段４０を備えている。
【００１７】
定着部材表面改質手段４０は、定着ベルト２２に対して接離可能であり、記録媒体２５が定着ニップ部を通過する累積通過時間、または記録媒体２５に付着した累積トナー量に応じて、定着ベルト２２への接離がなされることを特徴としている。以下、本実施形態に係る定着装置２０について、詳細を説明する。
【００１８】
定着装置２０は、加熱ローラ２１と、定着ローラ２３と、加熱ローラ２１および定着ローラ２３に張架される定着ベルト２２と、定着ローラ２３を押圧して定着ローラ２３との間にニップ部を形成する加圧ローラ２７と、を備えている。また、加熱ローラ２１は、熱源としてのヒータ３７、加圧ローラ２７は、熱源としてのヒータ３８をそれぞれ内部に有している。
【００１９】
定着装置２０は、定着ローラ２３と加圧ローラ２７との圧接によって形成される定着ベルト２２と加圧ローラ２７とのニップ部に未定着トナー像２４を担持した記録媒体２５（用紙）を通紙して加熱定着を行うものである。なお、加熱ローラ２１、定着ローラ２３及び加圧ローラ２７は、定着装置２０の図示しない筐体の長手方向に回転可能に軸支され、図示しない各ローラの駆動手段等は、筐体に固定保持されている。
ニップ部を通紙した記録媒体２５は、定着ローラ２３側に配置された分離板（図示せず）または加圧ローラ２７側に配置された分離板（図示せず）によって先端部が分離されて、次工程に排出される。なお、定着ローラ２３側、加圧ローラ２７側にそれぞれ配置される分離部材としての分離板は、板状の部材に限られるものではなく、分離爪を用いるようにしても良い。また、分離版や分離爪等は画像品質への影響から、定着ベルト２２や加圧ローラ２７から微小ギャップを備えた非接触状態とするのが好ましい。
【００２０】
加熱ローラ２１は、例えば、金属材料からなる薄肉の円筒体であって、その円筒体の内部には熱源としてのヒータ３７が固設されている。ヒータ３７としては、例えば、ハロゲンヒータやカーボンヒータ等を用いることができる。また、ヒータ３７の両端部は、定着装置２０の筺体に固定されている。また、ヒータ３７は、加熱ローラ２１を外部から加熱する誘導加熱手段であっても良い。
【００２１】
ヒータ３７は、装置本体の電源部（交流電源）により出力制御され、このヒータ３７からの輻射熱によって加熱ローラ２１が加熱される。さらに加熱ローラ２１によって加熱された定着ベルト２２の表面から記録媒体２５上の未定着トナー像２４に熱が加えられる。ヒータ３７の出力制御は、定着ベルト２２の表面に対向する位置に設けられるサーモパイル等の温度センサ（図示せず）によるベルト表面温度の検知結果に基づいてなされる。
【００２２】
定着ベルト２２は、定着ローラ２３と加熱ローラ２１の周囲に掛けまわされ、加熱ローラ２１および定着ローラ２３に密着している。このように構成した定着ベルト２２に、定着ローラ２３に対応する箇所に加圧ローラ２７を押し当てることで、定着ニップ部を構成する。
【００２３】
定着ベルト２２は、例えば、ＰＩ（ポリイミド）樹脂からなる層厚９０μｍのベース層上に、シリコーンゴムなどの弾性層、離型層が順次積層された多層構造の無端ベルトである。
【００２４】
定着ベルト２２の弾性層は、層厚が３５０μｍ程度であって、シリコーンゴム、フッ素ゴム、発泡性シリコーンゴム等の弾性材料で形成されている。定着ベルト２２の離型層は、層厚が２０μｍ程度であって、ＰＦＡ（４フッ化エチレンパーフルオロアルキルビニルエーテル共重合体樹脂）、ポリイミド、ポリエーテルイミド、ＰＥＳ（ポリエーテルサルファイド）等で形成されている。定着ベルト２２の表層に離型層を設けることにより、トナー（トナー像）に対する離型性（剥離性）が確保されることになる。
【００２５】
また、定着ベルト２２は、例えば、厚さ９０μｍの耐熱樹脂の無端フィルムであるＰＩベルトで構成され、表層には、ＰＦＡ（４フッ化エチレンパーフルオロアルキルビニルエーテル共重合体樹脂）などのオフセット防止剤がコーティングされている。
【００２６】
定着ローラ２３は、熱源を有しておらず、金属（鉄やアルミ）などの剛性の高い芯材を、シリコーンゴムなどの厚い弾性層で覆ったものである。定着ローラ２３の芯金には、定着ローラ２３の熱膨張量を判断するための芯金温度検知センサ３０が設けられており、芯金温度検知センサ３０の検知結果により、定着の熱膨張量を演算する制御部５０を有している。
【００２７】
加圧ローラ２７は、定着ローラ２３と同様に、ＳＵＳ３０４等の芯金上に、フッ素ゴム、シリコーンゴム、発泡性シリコーンゴム等の弾性層が形成されたローラ部材である。また、円筒体の内部には熱源としてのヒータ３８が固設されている。なお、ヒータ３８を有さない構成としても良い。
【００２８】
定着ローラ２３と加圧ローラ２７とは、対向して配置されるゴムローラであり、加圧ローラ２７が定着ベルト２２を介して定着ローラ２３の中心方向に加圧されることにより、加圧ローラ２７と定着ベルト２２との間でニップ部が形成される。
【００２９】
駆動手段は、定着ローラ２３を時計回り方向に回転駆動させる。定着ローラ２３の回転により、定着ローラ２３に圧接する加圧ローラ２７および定着ベルト２２が同速で連れ回り回転する。
【００３０】
定着装置２０は、定着ベルト２２の表面性を維持するため、定着ベルト２２に押し当てられて定着部材の表面を改質するための定着部材表面改質手段４０を備えており、定着部材表面改質手段４０は、定着部材に対して接離可能な構成となっている。定着部材表面改質手段４０は、定着部材表面を削る/潰す/軟化させる、あるいは、定着部材表面の異物を吸着する機能を有する。本実施例の定着部材表面改質手段４０は、摺擦部材（研磨ローラ４１）であり、定着部材表面を微少に削り取り、異物を除去する機能を有している。研磨ローラ４１は、軸形状の芯金とそれを覆う研磨層から構成される。また、接離機構部４２を有し、研磨ローラ４１は接離機構部４２により、定着ベルト２２に接離可能となっている。接離機構部４２は、特に制限されるものではないが、駆動モータを有するカム機構、ソレノイド等が挙げられる。研磨ローラ４１は、金属、又は樹脂に直接研磨目が転写されたローラ、またはローラに砥粒が吹き付けられたローラとしてもよい。
【００３１】
研磨ローラ４１を定着ベルト２２に押し当て定着ベルト２２の定着ベルトの異物・付着物を除去、及び定着ベルト上のスジ研磨を行う際に、研磨ローラ４１を定着ベルト２２に押し当ててから、定着ベルト２２を研磨する回転し始めは研磨ローラ４１が定着ベルト２２に食い込み、定着ベルト２２を局所的に必要以上に研磨する（研磨深さが深くなる）ことがある。定着ベルト２２で局所的に研磨深さが異なると、トナー像の光沢ムラ、又はスジ状の傷が転写された異常画像となる。これらを防ぐために、研磨ローラ４１を定着ベルト２２に押し当て力を初期は所定圧より弱く当接させることで、研磨ローラ４１が定着ベルト２２への必要以上の食い込みを抑制することができ、定着ベルト２２は一様な研磨状態をなり、研磨ムラによる異常画像を防ぐことができる。尚、研磨ローラ４１を回転させながら定着ベルト２２に押し当てる際も同様である。
【００３２】
定着部材表面改質手段４０においては、研磨ローラ４１の目詰まりで研磨性能が落ちる、また定着ベルトの表層厚みも限られていることから、研磨ローラの使用量を抑えることが必要とされる。そのため、制御部５０は、例えば記録媒体２５が定着ニップ部を通過する通過時間（すなわち、用紙の定着通過時間）をカウントする機能を有し、定着ニップ部を通過する記録媒体２５の累積通過時間が所定の時間を上回ったか否か（すなわち、累積通紙時間が所定の通紙時間を上回ったか否か）を判定する。制御部５０は、定着ニップ部を通過する記録媒体２５の累積通過時間が所定の時間を上回った（すなわち、すなわち、累積通紙時間が所定の通紙時間を上回った）と判定した場合に、研磨ローラ４１を定着ベルトに押し当てることで、研磨ローラの使用量を抑えつつ、定着ベルト２２の表面を改質させ、異常画像を防ぐことができる。
【００３３】
定着ベルト２２への付着物の主成分はトナーに起因するトナーWAX、シリカなどのトナー外添成分である。そこで、制御部５０は、記録媒体２５に付着されるトナー濃度、トナー付着面積率を算出してトナー量を算出する機能を有し、定着ニップ部を通過する累積トナーが所定量を上回ったか否かを判定する。制御部５０は、定着ニップ部を通過する累積トナーが所定量を上回ったと判定した場合に、研磨ローラ４１を定着ベルトに押し当てることで、研磨ローラの使用量を抑えつつ、定着ベルト２２の表面を改質させ、異常画像を防ぐことができる。なお、トナー濃度、トナー付着面積率は、例えばフォトセンサ等の様々なトナー付着量センサの検知結果により算出すればよい。
【００３４】
図２に、研磨ローラ４１での定着ベルト２２研磨時の、定着ベルト２２と研磨ローラ４１の線速差無しの場合と線速差有りの場合の定着ベルト２２上固着WAX除去率を示す。固着WAX除去率は、同量のトナーWAXを定着ベルト２２に固着させ、定着ベルト研磨実行前後の定着ベルト重さを計測することにより算出する。
【００３５】
（式１）
固着WAX除去率[%] 
= (定着リフレッシュ前のベルト重量[g]−定着リフレッシュ後のベルト重量[g]) / 
(定着リフレッシュ前のベルト重量[g]−WAX固着無しの状態のベルト重量[g]) ×  100
・・・・・(式１)
【００３６】
図２から定着ベルト２２と研磨ローラ４１の線速差無しの場合より、線速差有り場合の方が、固着WAX除去率が約３倍良いことが分かる。これは、定着ベルト２２と研磨ローラ４１に線速差を付けた方が、定着ベルト２２上への固着トナーWAXが効率よく除去できる為である。本実施例では、線速差を３倍〜６倍としているが、定着システムによっていくつに設定しても構わない。このように、制御部５０は、研磨ローラ４１と定着ベルと２２とを当接させ、線速差を有して回転させる。
【００３７】
定着装置２０においては、必要に応じて、記録媒体２５の紙厚や特色トナーの使用有無、紙種等を識別する手段を備えていてもよい。識別する手段は特に制限されるものではないが、例えばフォトセンサ等により検知する手段が挙げられる。光透過量を検出するフォトセンサの場合、記録媒体２５を透過する光量の違いから記録媒体２５の厚さ等を検知することができる。
【００３８】
なお、上記実施形態では、ベルト定着方式の定着装置を例に説明したが、定着装置の方式は、これに限られるものではなく、例えば、加圧ローラと加熱ローラ（定着ローラ）との圧接によってニップ部を形成するローラ定着方式や、ベルト部材である定着ベルトに替えて定着ローラと加熱ローラに張架されたフィルム部材を用いたフィルム定着方式など、他の定着方式の定着装置に適用したものであっても良い。
【００３９】
図３は、定着ベルト研磨実行動作の一連の処理を示すフローチャートである。
【００４０】
まず、定着ローラ芯金センサ３０にて芯金温度を検知し（ステップＳ３０１）、制御部５０が定着ローラ２３の熱膨張量の換算を行う（ステップＳ３０２）。次に、制御部５０は、定着ローラ２３の熱膨張量に応じて、研磨ローラ４１が定着ベルト２２に所定の圧力で当接するように研磨ローラ４１の加圧量の決定し（ステップＳ３０３）、研磨ローラ４１を定着ベルト２２に当接させる（ステップＳ３０４）。研磨ローラ４１が定着ベルト２２と共に一定時間回転し、定着ベルト２２材表面を削り取り、定着ベルト２２表面の固着あるいは付着したトナーWAXを除去、又は定着ベルト２２のスジ研磨を行い（ステップＳ３０５）、研磨ローラ４１が定着ベルト２２から離間する（ステップＳ３０６）。
【００４１】
なお、制御部５０は、ステップＳ３０５の処理を実行中であっても、検知された芯金温度の変化、あるいは定着ローラ２３の熱膨張量の変化が、あらかじめ定められた単位時間で所定の閾値を超えた場合には、ステップＳ３０３に戻って、再び、研磨ローラ４１の加圧量を決定して当接力を変えたうえで、研磨ローラ４１を定着ベルト２２に当接させてもよい。このような制御を行うことにより、短時間で過度に温度や熱膨張量の変化が生じた場合でも、研磨ローラ４１の当接力を補正し、適切に制御することができる。
（画像形成装置）
【００４２】
図４は、本発明に係る画像形成装置の一実施形態であるタンデム型カラー複写機の全体構成を説明する概略構成図である。図４を参照して、この画像形成装置の内部構成の概要及び動作について説明する。
【００４３】
図４において、１は画像形成装置本体、２は入力画像情報に基づいたレーザ光を発する書込み部、３は原稿Ｄを原稿読込部４に搬送する原稿搬送部、４は原稿Ｄの画像情報を読み込む原稿読込部、７は転写紙等の記録媒体Ｐ（図示せず）が収容される給紙部、９は記録媒体Ｐの搬送タイミングを調整するレジストローラ、１１Ｙ，１１Ｍ，１１Ｃ，１１ＢＫは各色（イエロー、マゼンタ、シアン、ブラック）のトナー像が形成される感光体ドラム、１２は各感光体ドラム１１Ｙ，１１Ｍ，１１Ｃ，１１ＢＫ上を帯電する帯電部、１３は各感光体ドラム１１Ｙ，１１Ｍ，１１Ｃ，１１ＢＫ上に形成される静電潜像を現像する現像部、１４は各感光体ドラム１１Ｙ，１１Ｍ，１１Ｃ，１１ＢＫ上に形成されたトナー像を記録媒体Ｐ上に重ねて転写する転写バイアスローラ（１次転写バイアスローラ）、１５は各感光体ドラム１１Ｙ，１１Ｍ，１１Ｃ，１１ＢＫ上の未転写トナーを回収するクリーニング部を示す。
【００４４】
また、１６は中間転写ベルト１７を清掃する中間転写ベルトクリーニング部、１７は複数色のトナー像が重ねて転写される中間転写ベルト、１８は中間転写ベルト１７上のカラートナー像を記録媒体Ｐ上に転写するための２次転写バイアスローラ、２０は記録媒体Ｐ上のトナー像を定着する定着装置を示す。
【００４５】
以下、画像形成装置における、通常のカラー画像形成時の動作について説明する。まず、原稿Ｄは、原稿搬送部３の搬送ローラによって、原稿台から図中の矢印方向に搬送されて、原稿読込部４のコンタクトガラス５上に載置される。そして、原稿読込部４で、コンタクトガラス５上に載置された原稿Ｄの画像情報が光学的に読み取られる。詳しくは、原稿読込部４は、コンタクトガラス５上の原稿Ｄの画像に対して、照明ランプから発した光を照射しながら走査させる。そして、原稿Ｄにて反射した光を、ミラー群及びレンズを介して、カラーセンサに結像する。原稿Ｄのカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部で色変換処理、色補正処理、空間周波数補正処理等の処理をおこない、イエロー、マゼンタ、シアン、ブラックのカラー画像情報を得る。
【００４６】
そして、イエロー、マゼンタ、シアン、ブラックの各色の画像情報は、書込み部２に送信される。そして、書込み部２からは、各色の画像情報に基づいたレーザ光（露光光）が、それぞれ、対応する感光体ドラム１１Ｙ，１１Ｍ，１１Ｃ，１１ＢＫ上に向けて発せられる。
【００４７】
一方、４つの感光体ドラム１１Ｙ，１１Ｍ，１１Ｃ，１１ＢＫは、それぞれ、図４の時計方向に回転している。そして、まず、感光体ドラム１１Ｙ，１１Ｍ，１１Ｃ，１１ＢＫの表面は、帯電部１２との対向部で、一様に帯電される（帯電工程）。こうして、感光体ドラム１１Ｙ，１１Ｍ，１１Ｃ，１１ＢＫ上には、帯電電位が形成される。その後、帯電された感光体ドラム１１Ｙ，１１Ｍ，１１Ｃ，１１ＢＫ表面は、それぞれのレーザ光の照射位置に達する。
【００４８】
書込み部２において、４つの光源から画像信号に対応したレーザ光が各色に対応してそれぞれ射出される。各レーザ光は、イエロー、マゼンタ、シアン、ブラックの色成分ごとに別の光路を通過することになる（露光工程）。
【００４９】
イエロー成分に対応したレーザ光は、紙面左側から１番目の感光体ドラム１１Ｙ表面に照射される。このとき、イエロー成分のレーザ光は、高速回転するポリゴンミラーにより、感光体ドラム１１Ｙの回転軸方向（主走査方向）に走査される。こうして、帯電部１２にて帯電された後の感光体ドラム１１Ｙ上には、イエロー成分に対応した静電潜像が形成される。
【００５０】
同様に、マゼンタ成分に対応したレーザ光は、紙面左から２番目の感光体ドラム１１Ｍ表面に照射されて、マゼンタ成分に対応した静電潜像が形成される。シアン成分のレーザ光は、紙面左から３番目の感光体ドラム１１Ｃ表面に照射されて、シアン成分の静電潜像が形成される。ブラック成分のレーザ光は、紙面左から４番目の感光体ドラム１１ＢＫ表面に照射されて、ブラック成分の静電潜像が形成される。
【００５１】
その後、各色の静電潜像が形成された感光体ドラム１１Ｙ，１１Ｍ，１１Ｃ，１１ＢＫ表面は、それぞれ、現像部１３との対向位置に達する。そして、各現像部１３から感光体ドラム１１Ｙ，１１Ｍ，１１Ｃ，１１ＢＫ上に各色のトナーが供給されて、感光体ドラム１１Ｙ，１１Ｍ，１１Ｃ，１１ＢＫ上の潜像が現像される（現像工程）。
【００５２】
その後、現像工程後の感光体ドラム１１Ｙ，１１Ｍ，１１Ｃ，１１ＢＫ表面は、それぞれ、中間転写ベルト１７との対向部に達する。ここで、それぞれの対向部には、中間転写ベルト１７の内周面に当接するように転写バイアスローラ１４が設置されている。そして、転写バイアスローラ１４の位置で、中間転写ベルト１７上に、感光体ドラム１１Ｙ，１１Ｍ，１１Ｃ，１１ＢＫ上に形成された各色のトナー像が、順次重ねて転写される（１次転写工程）。
【００５３】
そして、転写工程後の感光体ドラム１１Ｙ，１１Ｍ，１１Ｃ，１１ＢＫ表面は、それぞれ、クリーニング部１５との対向位置に達する。そして、クリーニング部１５で、感光体ドラム１１Ｙ，１１Ｍ，１１Ｃ，１１ＢＫ上に残存する未転写トナーが回収される（クリーニング工程）。
【００５４】
その後、感光体ドラム１１Ｙ，１１Ｍ，１１Ｃ，１１ＢＫ表面は、不図示の除電部を通過して、感光体ドラム１１Ｙ，１１Ｍ，１１Ｃ，１１ＢＫにおける一連の作像プロセスが終了する。
【００５５】
他方、感光体ドラム１１Ｙ，１１Ｍ，１１Ｃ，１１ＢＫ上の各色のトナーが重ねて転写（担持）された中間転写ベルト１７は、図中の時計方向に走行して、２次転写バイアスローラ１８との対向位置に達する。そして、２次転写バイアスローラ１８との対向位置で、記録媒体Ｐ上に中間転写ベルト１７上に担持されたカラーのトナー像が転写される（２次転写工程）。
【００５６】
その後、中間転写ベルト１７表面は、中間転写ベルトクリーニング部１６の位置に達する。そして、中間転写ベルト１７上に付着した未転写トナーが中間転写ベルトクリーニング部１６に回収されて、中間転写ベルト１７における一連の転写プロセスが終了する。
【００５７】
ここで、中間転写ベルト１７と２次転写バイアスローラ１８との間（２次転写ニップ）に搬送される記録媒体Ｐは、給紙部７からレジストローラ９等を経由して搬送されたものである。
【００５８】
詳しくは、記録媒体Ｐを収納する給紙部７から、給紙ローラ８により給送された記録媒体Ｐが、搬送ガイドを通過した後に、レジストローラ９に導かれる。レジストローラ９に達した記録媒体Ｐは、タイミングを合わせて、２次転写ニップに向けて搬送される。
【００５９】
そして、フルカラー画像が転写された記録媒体Ｐは、搬送ベルトによって定着装置２０に導かれる。定着装置２０では、定着部材としての定着ローラと加圧部材としての加圧ローラとのニップにて、カラー画像（トナー）が記録媒体Ｐ上に定着される。
【００６０】
そして、定着工程後の記録媒体Ｐは、排紙ローラによって、装置本体１外に出力画像として排出されて、一連の画像形成プロセスが完了する。
【００６１】
このように、本実施例では、記録媒体上のトナー像を加熱してトナー像を記録媒体に定着させる定着装置２０において、芯金温度を検知する芯金温度検知部材を有した定着部材と、定着部材を押圧し、定着ニップ部を形成する加圧部材と、定着部材の表面を改質する定着表面改質部材を定着部材に接離可能な接離機構部と、芯金温度検知部材が検知した芯金温度に基づいて、定着表面改質部材と定着部材との間の当接力を変える制御部と、を備えており、定着部材の熱膨張量を定着部材の芯金センサの温度検知結果より換算することで、定着部材への定着表面改質部材の当接力を一定圧に保った（当接量を可変させる）状態で、定着部材の改質動作（定着部材リフレッシュ）を実行する。これにより、定着部材上の異物、付着物が用紙への再付着、定着表面改質部材による研磨ムラでの異常画像の防止を確保することができ、定着部材の表面改質能力と定着部材から用紙へのスジ転写（異常画像）の防止を、生産性を落とすことなく可能とすることができる。
【００６２】
また、制御部は、記録媒体が定着ニップ部を通過する累積通紙時間をカウントし、累積通紙時間が所定の通紙時間を上回った場合に、定着表面改質部材と定着部材とを当接させ、用紙の定着通過時間をカウントし、累積通紙時間が所定の通紙時間を上回った際に、定着部材の改質動作（定着部材リフレッシュ）を実行する。これにより、定着部材上の異物、付着物が用紙への再付着、定着表面改質部材による研磨ムラでの異常画像の防止を行うことができ、定着部材の表面改質能力と定着部材から用紙へのスジ転写（異常画像）を防止することができる。
【００６３】
また、制御部は、センサからの検知結果に基づいて記録媒体上のトナー濃度またはトナー付着面積率を算出し、累積トナー量が所定量を上回った場合に、定着表面改質部材と定着部材とを当接させ、用紙媒体上のトナー濃度、トナー付着面積率の判断カウントし、累積トナー量が所定量を上回った際に、定着部材の改質動作（定着部材リフレッシュ）を実行する。これにより、定着部材上の異物、付着物が用紙への再付着、定着表面改質部材による研磨ムラでの異常画像の防止を行うことが可能となり、定着部材上の異物、付着物が用紙への再付着による異常画像の防止を行うことができる。
【００６４】
また、定着表面改質部材が、軸形状の芯金とそれを覆う研磨層とすることで、表面改質部材を角度に関係なく定着部材に均一に押し当てることができ、定着部材上の異物、付着物が用紙への再付着、定着表面改質部材による研磨ムラでの異常画像の防止を行うことが可能となる。
【００６５】
また、制御部は、定着表面改質部材と定着部材とを当接させ、線速差を有して回転させることで、定着部材の異物、付着物の除去能力を向上させることができる。
【００６６】
また、制御部は、定着表面改質部材により定着部材の研磨処理を実行中であっても、芯金温度の変化、あるいは定着部材の熱膨張量の変化が、単位時間で所定の閾値を超えた場合、再び、定着表面改質部材の当接力の変え、定着表面改質部材を定着部材に当接させる。これにより、短時間で過度に温度や熱膨張量の変化が生じた場合でも、定着表面改質部材の当接力を補正し、適切に制御することができる。
【００６７】
また、定着部材上の異物、付着物が用紙への再付着、定着表面改質部材による研磨ムラでの異常画像の防止を確保した信頼性の高い定着装置、その定着装置を備えた画像形成装置を実現することができる。
【００６８】
なお、画像形成装置としては、例えば、帯電・書込み・現像・転写・クリーニング・除電等を繰り返して像担持体に順次トナー画像を形成し、そのトナー像を逐次転写して、シート・OHPフィルム等の記録媒体に画像を記録する電子写真方式の画像形成装置に適用することができる。また、例えば、そのような画像形成装置において、画像転写後の記録媒体を有する定着部材と加圧部材間に通して搬送しながらその記録媒体上のトナー画像を定着する定着装置に適用することができ、そのような定着装置において、定着部材への異物固着物あるいは付着物による異常画像(光沢ムラなど)を自動抑制し、出力画像品質を落とすことなく、薄紙から厚紙まで定着部材での分離不良を抑制し、記録媒体を搬送することができる。
【符号の説明】
【００６９】
１  画像形成装置
２  書込み部
３  原稿搬送部
４  原稿読込部
５  コンタクトガラス
７  給紙部
８  給紙ローラ
９  レジストローラ
１１Ｙ，１１Ｍ，１１Ｃ，１１ＢＫ  感光体ドラム
１２  帯電部
１３  現像部
１４  転写バイアスローラ（１次転写バイアスローラ）
１５  クリーニング部
１６  中間転写ベルトクリーニング部
１７  中間転写ベルト
１８  ２次転写バイアスローラ
２０  定着装置
２１  加熱ローラ
２２  定着ベルト
２３  定着ローラ
２４  トナー像
２５  記録媒体
２６  入口ガイド板
２７  加圧ローラ
２８  搬送ベルト
３０  定着ローラ芯金センサ
３７，３８  ヒータ
４０  定着部材表面改質手段
４１  研磨ローラ（定着部材表面改質部材）
４２  接離機構部
５０  制御部
【先行技術文献】
【特許文献】
【００７０】
【特許文献１】特開２０１１−１７５０６７号公報
【特許文献２】特許第５９３９８６７号明細書
【特許文献３】特開２０１２−１７５０６７号公報
【図１】
2018091891.tif 000003
【図２】
2018091891.tif 000004
【図３】
2018091891.tif 000005
【図４】
2018091891.tif 000006